(57)【要約】【課題】ガスボンベ管理システムを提供する。【解決手段】第１のガスボンベ状態電文を生成する制御部、および第１のガスボンベ状態電文をサーバコンピュータに送信する通信部を備えた携帯端末と、第２の経由地情報を記憶した記憶部、第２のガスボンベ状態電文を生成する制御部、および第２のガスボンベ状態電文をサーバコンピュータに送信する通信部を備えたセンサゲートと、ガスボンベ管理データを記憶したデータ記憶部、第１および第２のガスボンベ状態電文を受信する通信部、ならびに第１のガスボンベ状態電文に基づいて、データ記憶部に記憶されたガスボンベ管理データを生成または更新し、第１の状態情報に基づいて、ガスボンベに対する第２の状態情報を判定し、第２のガスボンベ状態電文および第２の状態情報に基づいて、データ記憶部に記憶されたガスボンベ管理データを生成または更新するサーバ制御部を備えたサーバコンピュータと、を備える。【選択図】図４
2018063483.tif 000002
【特許請求の範囲】
【請求項１】
サーバコンピュータ、携帯端末、およびセンサゲートを備え、ガスボンベを配送するときの移動経路を管理するシステムであって、
前記携帯端末は、
前記ガスボンベを配送する作業員に対応する作業員ＩＤ、前記ガスボンベに対する第１の状態情報、および前記ガスボンベが位置する経由地に対応する第１の経由地情報の入力を受け付ける第１の入力インタフェースを表示する表示部と、
前記ガスボンベに付され、前記ガスボンベに対応するガスボンベＩＤが符号化された第１のバーコードから前記ガスボンベＩＤを取得し、前記取得したガスボンベＩＤ、前記受け付けた作業員ＩＤ、前記受け付けた第１の状態情報、および前記受け付けた第１の経由地情報を含む、第１のガスボンベ状態電文を生成する携帯端末制御部と、
前記生成した第１のガスボンベ状態電文を、前記サーバコンピュータに送信する携帯端末通信部と
を備え、
前記センサゲートは、
前記センサゲートが位置する経由地に対応する第２の経由地情報を記憶した記憶部と、
前記ガスボンベに付され、前記ガスボンベＩＤが記憶されたＩＣチップから前記ガスボンベＩＤを取得し、前記取得したガスボンベＩＤおよび前記記憶した第２の経由地情報を含む第２のガスボンベ状態電文を生成するセンサ制御部と、
前記生成した第２のガスボンベ状態電文を、前記サーバコンピュータに送信するセンサ通信部と
を備え、
前記サーバコンピュータは、
ガスボンベ管理データを記憶したデータ記憶部と、
前記第１のガスボンベ状態電文および前記第２のガスボンベ状態電文を受信するサーバ通信部と、
前記受信した第１のガスボンベ状態電文に基づいて、前記データ記憶部に記憶された前記ガスボンベ管理データを生成または更新し、
前記受信した第１のガスボンベ状態電文に含まれる前記第１の状態情報に基づいて、前記ガスボンベに対する第２の状態情報を判定し、
前記受信した第２のガスボンベ状態電文、および前記判定した第２の状態情報に基づいて、前記データ記憶部に記憶された前記ガスボンベ管理データを生成または更新するサーバ制御部と
を備えたことを特徴とするシステム。
【請求項２】
前記表示部は、前記作業員ＩＤ、前記ガスボンベに対する第３の状態情報、および前記ガスボンベが位置する経由地に対応する第３の経由地情報の入力を受け付ける第２の入力インタフェースを表示し、
前記携帯端末制御部は、
前記第１のバーコードから前記ガスボンベＩＤを取得し、ガス設備機器に付され、消費者ＩＤが符号化された第２のバーコードから前記消費者ＩＤを取得し、
前記取得したガスボンベＩＤ、前記取得した消費者ＩＤ、前記受け付けた作業員ＩＤ、前記受け付けた第３の状態情報、および前記受け付けた第３の経由地情報を含む、第３のガスボンベ状態電文を生成し、
前記携帯端末通信部は、前記生成した第３のガスボンベ状態電文を、前記サーバコンピュータに送信し、
前記サーバ通信部は、前記第３のガスボンベ状態電文を受信し、
前記サーバ制御部は、前記受信した第３のガスボンベ状態電文に基づいて、前記データ記憶部に記憶された前記ガスボンベ管理データを生成または更新する
ことを特徴とする請求項１に記載のシステム。
【請求項３】
前記センサ制御部は、前記ガスボンベが積まれた車両が通過する際に、前記ＩＣチップから前記ガスボンベＩＤを取得することを特徴とする請求項１または２に記載のシステム。
【請求項４】
前記センサ通信部は、前記ＩＣチップの読み取り面に対し、電波または磁界を放出する電波・磁界放出面を有し、
前記読み取り面および前記電波・磁界放出面は対向する
ことを特徴とする請求項１乃至３のいずれか一項に記載のシステム。
【請求項５】
ガスボンベを配送するときの移動経路を管理する方法であって、
携帯端末によって、
前記ガスボンベを配送する作業員に対応する作業員ＩＤ、前記ガスボンベに対する第１の状態情報、および前記ガスボンベが位置する経由地に対応する第１の経由地情報の入力を受け付ける入力インタフェースを表示するステップと、
前記ガスボンベに付され、前記ガスボンベに対応するガスボンベＩＤが符号化されたバーコードから前記ガスボンベＩＤを取得し、前記取得したガスボンベＩＤ、前記受け付けた作業員ＩＤ、前記受け付けた第１の状態情報、および前記受け付けた第１の経由地情報を含む、第１のガスボンベ状態電文を生成するステップと、
前記生成した第１のガスボンベ状態電文を、サーバコンピュータに送信するステップと、
センサゲートによって、
前記ガスボンベに付され、前記ガスボンベＩＤが記憶されたＩＣチップから前記ガスボンベＩＤを取得し、前記取得した第２のガスボンベＩＤ、および第２の経由地情報を含む第２のガスボンベ状態電文を生成するステップであって、前記第２の経由地情報は、前記センサゲートが位置する経由地に対応し、前記センサゲートの記憶部に記憶されている、ステップと、
前記生成した第２のガスボンベ状態電文を、前記サーバコンピュータに送信するステップと、
前記サーバコンピュータによって、
前記第１のガスボンベ状態電文および前記第２のガスボンベ状態電文を受信するステップと、
前記取得した第１のガスボンベ状態電文に基づいて、データ記憶部に記憶されたガスボンベ管理データを生成または更新するステップと、
前記取得した第１のガスボンベ状態電文に含まれる前記第１の状態情報に基づいて、前記ガスボンベに対する第２の状態情報を判定するステップと、
前記取得した第２のガスボンベ状態電文、および前記判定した第２の状態情報に基づいて、前記データ記憶部に記憶された前記ガスボンベ管理データを生成または更新するステップと
を備えたことを特徴とする方法。
【請求項６】
請求項５に記載の方法をコンピュータに実行させることを特徴とするプログラム。
【請求項７】
請求項６に記載のプログラムを記録したことを特徴とするコンピュータ可読記憶媒体。
【発明の詳細な説明】
【技術分野】
【０００１】
本発明は、ガスボンベ管理システムに関する。特に、初期納入、充填所から消費者宅までに配送され、および消費者宅から回収されて廃棄されるまでのガスボンベの経路を管理するガスボンベ管理システムに関する。
【背景技術】
【０００２】
一般家庭で使用されている液化石油ガス（ＬＰ（Liquefied Petroleum）ガス）は主に、産ガス国から輸入されるもの（輸入ＬＰガス）と、石油製品の生産過程で精製することによって国内で生産されるもの（国内生産ＬＰガス）とに分けられる。ＬＰガスを供給するガス供給事業者は、産ガス国からタンカーで運ばれてきたＬＰガスを保管する輸入基地（輸入ＬＰガスの保管用）、および石油精製基地（国内生産ＬＰガスの精製所）を有しており、それぞれ一次基地と称される。
【０００３】
ガス供給事業者は、一次基地とは別に、全国にＬＰガスを配送するための中継基地として機能する二次基地を有している。ＬＰガスは、一次基地から内航船やトレーラに積み込まれて、二次基地へと出荷される。また、ガス供給事業者は、ＬＰガスにガスを充填する充填所を各地に有しており、二次基地に運ばれてきたＬＰガスは、ガス充填所に輸送され、ガスボンベにガスが充填される。
【０００４】
さらに、ガス供給事業者は、デポステーションと称される設備を各地に有している、デポステーションとは、充填所から配送されたガスボンベを保管するための設備であり、充填所から多数のガスボンベがデポステーションに配送され、デポステーションで、小型の
配送車に積み替えられる。
【０００５】
各充填所において充填されたガスボンベは、ガス供給事業者の作業員によって、一般家庭、集合住宅、および事業所などの消費先に配送される（場合によっては、デポステーションを経由して）。また、作業員は、消費者宅に設置された空になったガスボンベを、充填されたガスボンベと交換し、空になったガスボンベは充填所（場合によっては、デポステーションを経由して）に回収される。
【先行技術文献】
【特許文献】
【０００６】
【特許文献１】特開２０１５−２０７８６９号公報
【発明の概要】
【発明が解決しようとする課題】
【０００７】
ガス供給事業者は、個々のガスボンベに識別番号を割り当てることによって、そのガスボンベが現在どこに設置されているかをコンピュータシステムにおいて管理している。例えば、識別番号が割り当てられたガスボンベが消費者宅に設置された時点で、そのガスボンベは、その消費者宅に設置されている状態として管理される（各消費者にも識別番号を割り当てることによって）。ガスボンベは、危険物であるがゆえに、このようなガスボンベの管理は、法律上でも要求されている。
【０００８】
上述したように、ガスボンベが消費者宅に設置されている状態では、ガスボンベの所在を管理することができる。しかしながら、充填所からデポステーション、充填所から各消費者宅、またはデポステーションから各消費者宅に配送されることになるガスボンベが、その経路の途中で紛失したような場合に、紛失したガスボンベの所在が不明になることがある。
【０００９】
実際に、トレーラに積まれたガスボンベが、配送途中で（例えば、デポステーションから各消費者宅への経路において）盗難されることがあり、現状の管理の仕組みでは、このような事態に対し、ガスボンベの所在を把握することができない。これは、ガス供給事業者がガスボンベを安全に取り扱う義務が課せられていることからも、改善されるべき問題である。
【００１０】
特許文献１は、集中管理センタが、ＩＤ番号が付与され、ガスボンベと一体的に設置された情報管理ユニットのＩＤ番号を監視することによって、ガスボンベの設置保管場所を管理する物体情報の集中管理システムを開示している。
【００１１】
特許文献１に係るシステムでは、情報管理ユニットがＧＰＳ（Global Positioning System）センサおよび震度センサを有する。ガスボンベの管理については、ＧＰＳセンサから得られるＧＰＳ情報、ＰＨＳ（Personal Handyphone System）基地局情報、または震度センサの出力情報などを使用することによってガスボンベの移動が検知される。
【００１２】
特許文献１に係るシステムは、ガスが充填されたガスボンベを配送し、またはガスが空になったガスボンベを回収する際に、デポステーションから消費者宅までの経路などの配送経路においてガスボンベを管理することを主たる目的としていない。
【００１３】
ガスボンベを配送または回収する場合、充填所、デポステーション、または消費者宅と、予め定められた場所（経路）を経由してガスボンベが移動することになる。このような背景から、その予め定められた場所（経路）を逸脱したガスボンベのみを把握すれば十分である。にもかかわらず、特許文献１に係るシステムでは、各ガスボンベに情報管理ユニットを設置することによって、その移動を常に管理している。このことは、震度センサからの出力情報に基づいて、ガスボンベの移動を検知する場合など、誤った移動を検知することがある。
【００１４】
また、特許文献１に係るシステムでは、各ガスボンベに情報管理ユニットを設置する必要があり、莫大な数を保管するガス供給事業者にとって、全てのガスボンベに情報通信ユニットを設置することは現実的ではない。また、情報通信ユニット自体に電源が必要となり、適切な電源を確保するといった課題も存在する。
【００１５】
また、ガスボンベは定期的に耐圧検査を実施することが法令的に義務付けられており、検査の実施やガスボンベの塗り替えに当たって、情報通信ユニットの取外しなどを考慮しなければならない。
【００１６】
本発明はこのような問題に鑑みてなされたものであり、その目的とするところは、簡易な構成で、かつ高い精度で、ガスボンベの配送・回収経路において、各ガスボンベの移動経路を管理するガスボンベ管理システムを提供することにある。
【課題を解決するための手段】
【００１７】
上記の課題を解決するために、本発明に係るガスボンベ管理システムは、サーバコンピュータ、携帯端末、およびセンサゲートを備え、ガスボンベを配送するときの移動経路を管理するシステムであって、前記携帯端末は、前記ガスボンベを配送する作業員に対応する作業員ＩＤ、前記ガスボンベに対する第１の状態情報、および前記ガスボンベが位置する経由地に対応する第１の経由地情報の入力を受け付ける第１の入力インタフェースを表示する表示部と、前記ガスボンベに付され、前記ガスボンベに対応するガスボンベＩＤが符号化された第１のバーコードから前記ガスボンベＩＤを取得し、前記取得したガスボンベＩＤ、前記受け付けた作業員ＩＤ、前記受け付けた第１の状態情報、および前記受け付けた第１の経由地情報を含む、第１のガスボンベ状態電文を生成する携帯端末制御部と、前記生成した第１のガスボンベ状態電文を、前記サーバコンピュータに送信する携帯端末通信部とを備え、前記センサゲートは、前記センサゲートが位置する経由地に対応する第２の経由地情報を記憶した記憶部と、前記ガスボンベに付され、前記ガスボンベＩＤが記憶されたＩＣチップから前記ガスボンベＩＤを取得し、前記取得したガスボンベＩＤおよび前記記憶した第２の経由地情報を含む第２のガスボンベ状態電文を生成するセンサ制御部と、前記生成した第２のガスボンベ状態電文を、前記サーバコンピュータに送信するセンサ通信部とを備え、前記サーバコンピュータは、ガスボンベ管理データを記憶したデータ記憶部と、前記第１のガスボンベ状態電文および前記第２のガスボンベ状態電文を受信するサーバ通信部と、前記受信した第１のガスボンベ状態電文に基づいて、前記データ記憶部に記憶された前記ガスボンベ管理データを生成または更新し、前記受信した第１のガスボンベ状態電文に含まれる前記第１の状態情報に基づいて、前記ガスボンベに対する第２の状態情報を判定し、前記受信した第２のガスボンベ状態電文、および前記判定した第２の状態情報に基づいて、前記データ記憶部に記憶された前記ガスボンベ管理データを生成または更新するサーバ制御部とを備えたことを特徴とする。
【発明の効果】
【００１８】
本発明に係るガスボンベ管理システムによれば、充填所、デポステーション、および各消費者宅の各々において、ガスボンベの所在および状態を適切に管理することができる。
【図面の簡単な説明】
【００１９】
【図１】本発明の実施形態に係るガスボンベ管理システムを構成するコンピュータシステム全体の構成の例を示す図である。
【図２】本発明の実施形態に係るガスボンベ管理システムを構成するコンピュータデバイスの詳細な例を示す図である。
【図３】本発明の実施形態に係るガスボンベ管理データテーブルの例を示す図である。
【図４】本発明の実施形態に係るガスボンベ管理システムが実行する処理を示すフローチャートである。
【図５】本発明の実施形態に係るガスボンベ状態情報入力インタフェースの例を示す図である。
【図６】本発明の実施形態に係るガスボンベが積まれたトレーラがセンサゲート３を通過する状態の例を示す図である。
【図７】本発明の実施形態に係るＩＣタグが付されたガスボンベの詳細な例を示す図である。
【発明を実施するための形態】
【００２０】
以下、添付図面を参照して、本実施形態に係るガスボンベ管理システムを説明する。
【００２１】
＜システム構成＞
図１は、本発明の実施形態に係るガスボンベ管理システムを構成するコンピュータシステム全体の構成の例を示している。
【００２２】
本実施形態に係るガスボンベ管理システムは、ガスボンベ管理サーバ１、携帯端末２、センサゲート３、ならびにＩＣタグおよび二次元バーコードが付されたガスボンベ４を備えている。ガスボンベ管理サーバ１、携帯端末２、およびセンサゲート３は、ネットワーク５（３ＧおよびＬＴＥなどの通信方式を使用した無線ネットワークおよびインターネットなどの公衆回線の組み合わせ）を介してそれぞれが相互に接続されている。
【００２３】
ガスボンベ管理サーバ１は、ガス供給事業者に設置され、ガス供給事業者が有する全てのガスボンベ４を管理するサーバコンピュータデバイスである。ガスボンベ管理サーバ１は、本実施形態に係るガスボンベ管理システムのサービスを提供するために、携帯端末２との間で情報を交換し、およびセンサゲート３から情報を受信することによって、ガスボンベ４を管理する。なお、ガスボンベ管理サーバ１は単一のコンピュータデバイス、または、複数のコンピュータデバイスで実装されてもよい。
【００２４】
携帯端末２は、ガス供給事業者の作業員が保持し、ガスボンベ４にガスを充填し、およびガスボンベを配送・回収する際などに使用するコンピュータデバイスである。携帯端末２は、ガスボンベ管理サーバ１から所定のプログラムをダウンロードし、当該プログラムを実行することによって、作業員が必要な情報を入力するための入力インタフェースを表示する。本実施形態では、携帯端末２は、スマートフォンなどの携帯電話機器を想定しているが、そのような構成に限定されず、通信機能およびカメラ機能を有するタブレットコンピュータまたはＰＤＡなどの携帯型情報端末機器であってもよい。
【００２５】
センサゲート３は、ガス供給事業者が有する充填所およびデポステーションに設置され、トレーラに積まれたガスボンベ４のＩＣタグから、任意の無線通信方式を使用することによって情報を読み取るセンサである。センサゲート３は、充填所およびデポステーションの入口／出口に設置され、トレーラがセンサゲート３を通過することになる。
【００２６】
ガスボンベ４は、ガス供給事業者によって管理される全てのガスボンベを含み、各ガスボンベにガスボンベ識別番号（ガスボンベＩＤ）が割り当てられている。ガスボンベ４には、ＩＣタグおよび二次元バーコードが付され、ガスボンベＩＤは、ＩＣタグに記憶され、および二次元バーコードに符号化されている。
【００２７】
上述したコンピュータデバイスおよび携帯型情報端末機器は、中央処理装置（ＣＰＵ：Central Processing Unit）、メモリ、記憶装置などを有するコンピュータデバイスであって、メモリまたは記憶装置に記憶されたコンピュータプログラムをＣＰＵが処理することによって統括的に制御され、本実施形態に係る処理を実行し、その機能を実現することができる。なお、上述したシステム構成は、例示のためのものであり、本実施形態を実行することができるシステム構成を限定するものではない。
【００２８】
次に、図２を参照して、本発明の実施形態に係るガスボンベ管理システムを構成するコンピュータデバイスの詳細な例を説明する。
【００２９】
ガスボンベ管理サーバ１は、通信部１１、制御部１２、主記憶部１３、および補助記憶部１４を備えており、それらの各要素が相互に結合されている。
【００３０】
通信部１１は、ネットワーク５を介して接続された携帯端末２との間で制御情報およびデータを送受信し、ならびにセンサゲート３からガスボンベＩＤを受信するネットワークインタフェースである。
【００３１】
制御部１２は、中央処理装置とも称され、上記各構成要素の制御やデータの演算を実行する。また、制御部１２は、本実施形態に係る各種処理を実行するための、補助記憶部１４に記憶されている各種プログラムを主記憶部１３に読み取って実行する。
【００３２】
主記憶部１３は、メインメモリとも称され、ガスボンベ管理サーバ１が受信した入力データ、コンピュータ実行可能な命令および当該命令による演算処理後のデータなどを記憶する。
【００３３】
補助記憶部１４は、ハードディスク（ＨＤＤ：Hard Disk Drive）などに代表される記憶装置であり、制御部１２に、本実施形態に係る各種処理を実行させるためのプログラム（図示せず）、および携帯端末２にダウンロードするための携帯端末実行プログラムを記憶している。また、ガスボンベ管理サーバ１は、ＤＢＭＳ（Database Management System）を実装しており、ＤＢＭＳを通じて読み出し、更新、および削除が可能なデータベーステーブルを記憶したデータ記憶部１４ａを有している。
【００３４】
携帯端末２は、通信部２１、制御部２２、主記憶部２３、補助記憶部２４、表示部２５、およびカメラ２６を備えており、それらの各要素が相互に結合されている。通信部２１、制御部２２、主記憶部２３、および補助記憶部２４は、ガスボンベ管理サーバ１の通信部１１、制御部１２、主記憶部１３、および補助記憶部１４と同等の機能を有する。
【００３５】
表示部２５は、ガスボンベ管理サーバ１からダウンロードされた携帯端末実行プログラムを実行することによって、作業員が、ガスボンベ４にガスを充填するときなど、所定の状態変更情報を入力するための入力インタフェースなどを表示するディスプレイである。
【００３６】
カメラ２６は、ガスボンベ４に付された二次元バーコード４ｂを撮影する。二次元バーコード４ｂは、ガスボンベＩＤが符号化されており、撮影された二次元バーコードは、制御部１２によって復号化され、この処理によって、制御部２２がガスボンベＩＤを取得する。なお、カメラ２６は、携帯端末２に内蔵されていてもよく、またはＵＳＢ（Universal Serial Bus）などのデータ転送規格によって外部で接続されてもよい。
【００３７】
センサゲート３は、通信部３１、制御部３２および記憶部３３を備え、それらが相互に結合されている。また、ガスボンベ４には、ＩＣタグ４ａおよび二次元バーコード４ｂが付されている。ＩＣタグは、通信部４１、制御部４２、および記憶部４３を備え、それらの各要素が相互に結合されている。
【００３８】
通信部３１は、電波または磁界を発生させてガスボンベ４の通信部４１と任意の近距離無線方式で通信するアンテナである。ＩＣタグ４ａは、パッシブタグであり、通信部４１（アンテナ）が、通信部３１から電波または磁界を受信し、整流（電場の場合）または共振（磁界の場合）することによって電力が発生し、制御部４２および記憶部４３が動作する。
【００３９】
ＩＣタグ４ａでは、記憶部３３にガスボンベＩＤが記憶されており、通信部４１が、電波または磁界によって、記憶されたガスボンベＩＤをセンサゲート３に送信する。通信部３１が、ＩＣタグ４ａからガスボンベＩＤを受信すると、制御部３２が、そのガスボンベＩＤを取得する。記憶部３３には、各充填所およびデポステーション（以下、「経由地」）を識別する経由地識別番号（経由地ＩＤ）が記憶されている。そして、通信部３１が、ネットワーク５を介して、ガスボンベ管理サーバ１に、取得したガスボンベＩＤおよび記憶部３３に記憶された経由地ＩＤを送信する。
【００４０】
次に、図３を参照して、本発明の実施形態に係るガスボンベ管理データテーブル３００の例を説明する。ガスボンベ管理データテーブル３００は、ガスボンベ管理サーバ１のデータ記憶部１４ａに記憶されたデータベーステーブルであり、ＳＱＬ（Structured Query Language）を使用することによって、各データレコードの読み出し、追加、更新、および削除を行う。
【００４１】
ガスボンベ管理データテーブル３００は、ガス供給事業者が有する全てのガスボンベ４の各々に対応するデータレコードを有し、各データレコードは、データ項目「ガスボンベＩＤ」、「消費者識別番号（消費者ＩＤ）」、「作業員識別番号（作業員ＩＤ）」、「経由地」、「状態」および「製造年月日」（または「製造年月」）を有する。データ項目「消費者ＩＤ」は、対象のデータレコードに対応するガスボンベ４が消費者宅に設置された時点で、消費者ごとに割り当てられた識別番号が、当該ガスボンベ４に対応するガスボンベＩＤと関連付けて設定される。
【００４２】
データ項目「作業員ＩＤ」は、対象のデータレコードに対応するガスボンベ４を配送・回収するなどの時点で、そのような作業を行った作業員ごとに割り当てられた識別番号が、当該ガスボンベ４に対応するガスボンベＩＤと関連付けて設定される。
【００４３】
データ項目「経由地」は、対象のデータレコードに対応するガスボンベ４が、どこの充填所またはデポステーションを経由したかを示す値が設定される。例えば、ガス供給事業者が有する全ての充填所およびデポステーションに識別番号が割り当てられている（例えば、「０１：Ａ充填所」、「０２：Ｂ充填所」、および「１１：ａデポステーション」など）。そして、対象のデータレコードに対応するガスボンベ４がＡ充填所で充填されるタイミングで、「０１：Ａ充填所」が設定され、その後、ａデポステーションに到着したタイミングで、「１１：ａデポステーション」が設定される。つまり、各々の充填所およびデポステーションにおいて、作業員による携帯端末からの情報入力、またはセンサゲート３によるガスボンベＩＤの読み取りによって、ガスボンベ４が経由した最新の充填所およびデポステーションを示す値が設定される。
【００４４】
データ項目「状態」は、対象のデータレコードに対応するガスボンベ４が、どのような状態であるかを示す値が設定される。例えば、ガスボンベ４にガスを充填するタイミングで「０１：充填」が設定され、充填所から出荷されるタイミングで「０２：出荷」が設定される。
【００４５】
データ項目「製造年月日」（または「製造年月」）は、対象のガスボンベが製造された年月日が設定される。なお、ＬＰガスのガスボンベは、製造年月日から所定の期間（以下、「充填期間」を経過した場合は、そのガスのボンベを廃棄することが法律で定めされている。つまり、充填期間を経過したガスボンベについては、ガスの充填が行われずに廃棄される。
【００４６】
ガスボンベ管理データテーブル３００の各データレコードは、対象のガスボンベ４のメーカからガス供給事業者に納入された時点で新規に追加される。つまり、各ガスボンベ４が納入された時点でガスボンベＩＤが割り当てられる（ガスボンベＩＤが記憶・符号化されたＩＣタグ４ａおよび二次元バーコード４ｂが付される）。
【００４７】
次に、図４のフローチャートを参照して、本発明の実施形態に係るガスボンベ管理システムが実行する処理を説明する。図４に示す処理では、作業員が、Ａ充填所にてガスボンベ４にガスを充填し、ａデポステーションを経由して（ａデポステーションからガスボンベ４が出荷され）、消費者宅に配送するまでの例を説明する。
【００４８】
＜ガス充填＞
まず、携帯端末２の制御部２２が、主記憶部２３に記憶された（ガスボンベ管理サーバ１からダウンロードした）携帯端末実行プログラムを実行することによって、表示部２５に表示された初期画面（図示せず）が表示される。この状態で、作業員が自身の作業員ＩＤおよびパスワードを入力すると、制御部２２は、入力された作業員ＩＤおよびパスワードの認証処理を実行する。この認証が成功すると、表示部２５には、ガスボンベ状態情報入力インタフェースが表示される（ステップＳ４０１）。
【００４９】
図５は、ガスボンベ状態情報入力インタフェース５００の例を示している。ガスボンベ状態情報入力インタフェース５００は、作業員が配送・回収するガスボンベ４の状態（例えば、充填、出荷、および回収など）およびガスボンベ４が現在保管されている経由地を選択入力するための入力インタフェースである。また、ガスボンベ状態情報入力インタフェース５００上では、対象のガスボンベＩＤおよび消費者ＩＤを、カメラ２６を使用することによって入力する（二次元バーコードを撮影することによって）。
【００５０】
図５に示すように、ガスボンベ状態情報入力インタフェース５００は、状態情報入力プルダウンリスト５０１、経由地入力プルダウンリスト５０２、ガスボンベＩＤ読み取りボタン５０３、および消費者ＩＤ読み取りボタン５０４を有する。
【００５１】
状態情報入力プルダウンリスト５０１は、ガスボンベ４の状態を選択するためのプルダウンリストであり、例えば、充填所においてガスボンベ４にガスを充填する場合は、当該ガスボンベ４が充填される状態であるので、「０１：充填」が選択される。
【００５２】
経由地入力プルダウンリスト５０２は、ガスボンベ４が現在保管されている（位置している）充填所およびデポステーションを選択するためのプルダウンリストであり、例えば、ガスボンベ４がＡ充填所に保管されている場合は、「０１：Ａ充填所」が選択される。
【００５３】
ガスボンベＩＤ読み取りボタン５０３は、ガスボンベ４に付された二次元バーコードを読み取る際に使用され、作業員がガスボンベＩＤ読み取りボタン５０３を押下することによって、カメラ２６が起動し、表示部２５に撮影画面が表示される。この撮影画面上で、ガスボンベ４に付された二次元バーコード４ｂを撮影することによって、制御部２２が二次元バーコード４ｂに符号化されたガスボンベＩＤを取得する。
【００５４】
消費者ＩＤ読み取りボタン５０４は、消費者宅に設置されたガスメータなどのガス設備機器（図示せず）に付された二次元バーコードを読み取る際に使用され、作業員が消費者ＩＤ読み取りボタン５０４を押下することによって、カメラ２６が起動し、表示部２５に撮影画面が表示される。ガス設備機器に付された二次元バーコードは、消費者ＩＤが符号化されている。この撮影画面上で、ガス設備機器に付された二次元バーコードを撮影することによって、制御部２２が二次元バーコードに符号化された消費者ＩＤを取得する。
【００５５】
図４の説明に戻り、ステップＳ４０２では、ガスボンベ４がＡ充填所でガスを充填される状態であるので、作業員は、状態情報入力プルダウンリスト５０１で「０１：Ａ充填所」、および経由地入力プルダウンリスト５０２で「０１：充填」を選択する。そして、ガスボンベＩＤ読み取りボタン５０３を押下して、カメラ２６を使用してガスボンベ４に付された二次元バーコードを撮影する。これによって、制御部２２は、選択された状態および経由地、ならびに撮影した二次元コードに符号化されたガスボンベＩＤを取得する（ステップＳ４０２）。
【００５６】
次に、制御部２２は、ステップＳ４０２で取得した状態、経由地、およびガスボンベＩＤに、ステップ４０１で取得した（認証処理を実行する際に）作業員ＩＤを含めたガスボンベ充填状態情報電文を生成する。生成したガスボンベ充填状態情報電文は、通信部１１によって、ガスボンベ管理サーバ１に送信される（ステップＳ４０３）。
【００５７】
ガスボンベ管理サーバ１の通信部１１が、ステップＳ４０３で送信されたガスボンベ充填状態情報電文を受信すると、制御部１２は、受信したガスボンベ充填状態情報電文に基づいて、ガスボンベ管理データテーブル３００の対象のデータレコードを更新する（ステップＳ４０４）。具体的には、ガスボンベ充填状態情報電文に含まれる作業員ＩＤ、状態、および経由地の値が、対象のデータレコードの対応するデータ項目に設定される。なお、この段階では、ガスボンベ４が消費者宅に設置されている状態ではないので、データ項目「消費者ＩＤ」の値は設定されず、ガスボンベ４と消費者とは関連付けられない。
【００５８】
上述したように、作業員がガスボンベ４を充填した時点で、そのガスボンベ４と、当該ガスボンベ４が充填された充填所、およびガスボンベ４にガスを充填した作業員とが関連付けられ、当該ガスボンベ４が充填された状態であることがガスボンベ管理サーバ１にお
いて管理される。
【００５９】
ステップＳ４０２において取得される作業員ＩＤ、状態、経由地、およびガスボンベＩＤは、ガスボンベ状態情報入力インタフェース５００を介した情報入力（つまり、作業員による手動入力）に代えて、ガスボンベ４を充填するベルトコンベア付近に設置されたセンサ（図示せず）によって、ガスボンベ４に付されたＩＣタグ４ａを読み込むことによって取得されてもよい。
【００６０】
上記方式では、例えば、ガス充填所には、ガスボンベ４を充填するベルトコンベアが備えられ、そのベルトコンベア付近には、ガスボンベ４に付されたＩＣタグ４ａを読み込むセンサが設置されることになる。このような構成によって、ガスを充填する際に、作業員はベルトコンベアにガスボンベを置くことによって、ガスボンベＩＤを取得することができる（状態および経由地は、ガスボンベ管理サーバ１が自動的に設定する）。ベルトコンベア付近に設置されるセンサは、上記説明したセンサゲート３と同様の構成であるので、詳細な説明は省略する。
【００６１】
なお、ベルトコンベアに置かれたガスボンベ４のＩＣタグ４ａを読み込んだセンサは、そのガスボンベ４を識別することができるので、その製造年月日から充填期間が経過したか否かを判定するようにしてもよい。この場合、対象のガスボンベ４は、上述したようにガスボンベ管理サーバ１に充填状態情報電文が送信されず（つまり、ガスボンベ管理データテーブル３００の対象のデータレコードが更新されない）、廃棄対象であることの警告が出力されることになる。
【００６２】
＜ガスボンベ出荷＞
ガスボンベ４にガスが充填されると、ガスボンベ４がトレーラ（または、トラック）に積まれ、ガスボンベ４が積まれたトレーラがＡ充填所を出る際に、出口に設置されたセンサゲート３を通過することになる（ガスボンベ４がＡ充填所から出荷される）。このトレーラには、１００本以上のガスボンベ４が積まれることもある。センサゲート３の制御部３２は、複数の積まれたガスボンベ４のそれぞれに付されたＩＣタグ４ａを読み込んで、それぞれのガスボンベＩＤを取得する（ステップＳ４０５）。
【００６３】
図６は、複数のガスボンベ４が積まれたトレーラ６がセンサゲート３を通過する状態の例を示す図である。図６に示すように、センサゲート３は、２本の支持部３ａおよび支持部３ａと直交し、略水平に延在するセンサ部３ｂから構成されたアーチ型形状を有する。上記形状の代わりに、センサゲート３は、１本の支持部３ａ、および支持部３ａと直交し、略水平に延在するセンサ部３ｂから構成されたＬ字型形状を有してもよく。または任意の他の形状を有してもよい。
【００６４】
複数のガスボンベ４の各々は、トレーラ６の荷台に長さ方向を縦に垂直に設置される。図７に示すように、各ガスボンベ４の長さ方向上面には、読み取り面が上方を向くようにＩＣタグ４ａが取り付けられる。
【００６５】
このような状態で、複数のガスボンベ４が積まれたトレーラ６がセンサゲート３のセンサ部３ｂの下方を通過すると、センサ部３ｂが複数のガスボンベ４に付された全てのＩＣタグ４ａ読み取ることによって、全てのガスボンベ４のガスボンベＩＤを取得する。
【００６６】
図６に示すように、２本の支持部３ａの間を延在するセンサ部３ｂの水平方向の長さＸは、少なくとも、トレーラ６の前方または後方を基準に、荷台の短手方向の長さＹ以上である。つまり、センサ部３ｂの電波または磁界放出面が、全てのＩＣタグ４ａの読み取り面と対向するように構成される。このような構成によって、荷台に積まれた全てのガスボンベ４のＩＣタグ４ａが、センサ部３ｂ（アンテナ）から送信される電波または磁界の範囲内に収まるようになり、その結果、センサ部３ｂが、全てのＩＣタグ４ａを読み取ることができる。
【００６７】
なお、センサ部３ｂが、上述したような水平方向に延在するような構成に限定されず、例えば、垂直方向に延在するなど任意の構成であってもよい。図６以外の構成をとる場合でも、少なくともセンサ部３ｂの電波または磁界放出面が、全てのＩＣタグ４ａの読み取り面と対向するように構成される必要がある。
【００６８】
図４の説明に戻ると、ステップＳ４０６では、センサゲート３の制御部３２は、ステップＳ４０５で取得した全てのガスボンベＩＤに、記憶部３３に記憶された経由地ＩＤを含めたガスボンベ出荷状態情報電文を生成する。生成したガスボンベ出荷状態情報電文は、通信部３１によって、ガスボンベ管理サーバ１に送信される（ステップＳ４０６）。
【００６９】
ガスボンベ管理サーバ１の通信部１１が、ステップＳ４０６で送信されたガスボンベ出荷状態情報電文を受信すると、制御部１２は、受信したガスボンベ出荷状態情報電文に基づいて、ガスボンベ管理データテーブル３００の対象のデータレコードを更新する（ステップＳ４０７）。具体的には、対象のデータレコードのデータ項目「経由地」が、ガスボンベ出荷状態情報電文に含まれる経由地ＩＤの値に対応する値に更新される（例えば、「０１：Ａ充填所」）。また、データ項目「状態」は、例えば、「０２：出荷」に更新される。データ項目「状態」に設定される値は、例えば、状態機械によって、既に設定されている値に基づいて、更新される値が判定されてもよい（例えば、状態「０１：充填」の場合、更新される値が「０２：出荷」となる）。なお、この段階でも、ガスボンベ４が消費者宅に設置されている状態ではないので、データ項目「消費者ＩＤ」の値は設定されず、ガスボンベ４と消費者とは関連付けられない。
【００７０】
＜ガスボンベ入庫＞
ガスボンベ４がＡ充填所から出荷されると、ガスボンベ４が積まれたトレーラ６がａデポステーションに入る際に、入口に設置されたセンサゲート３を通過することになる（ガスボンベ４がａデポステーションに入庫される）。通過するときに、センサゲート３の制御部３２は、複数の積まれたガスボンベ４のそれぞれに付されたＩＣタグを読み込んで、それぞれのガスボンベＩＤを取得する（ステップＳ４０８）。このときのセンサゲート３がＩＣタグを読み込むときの詳細は、ステップＳ４０５で説明したので省略する。
【００７１】
次に、センサゲート３の制御部３２は、ステップＳ４０８で取得した全てのガスボンベＩＤに、記憶部３３に記憶された経由地ＩＤを含めたガスボンベ入庫状態情報電文を生成する。生成したガスボンベ入庫状態情報電文は、通信部３１によって、ガスボンベ管理サーバ１に送信される（ステップＳ４０９）。
【００７２】
ガスボンベ管理サーバ１の通信部１１が、ステップＳ４０９で送信されたガスボンベ入庫状態情報電文を受信すると、制御部１２は、受信したガスボンベ入庫状態情報電文に基づいて、ガスボンベ管理データテーブル３００の対象のデータレコードを更新する（ステップＳ４１０）。具体的には、対象のデータレコードのデータ項目「経由地」が、ガスボンベ入庫状態情報電文に含まれる経由地ＩＤの値に対応する値に更新される（例えば、「１１：ａデポステーション」）。また、データ項目「状態」は、例えば、「０３：入庫」に更新される。データ項目「状態」に設定される値は、例えば、状態機械によって、既に設定されている値に基づいて、更新される値が判定されてもよい（例えば、状態「０２：出荷」の場合、更新される値が「０３：入庫」となる）。なお、この段階でも、ガスボンベ４が消費者宅に設置されている状態ではないので、データ項目「消費者ＩＤ」の値は設定されず、ガスボンベ４と消費者とは関連付けられない。
【００７３】
＜ガスボンベ積み替え＞
ガスボンベ４がａデポステーションに入庫されると、所定本数のガスボンベ４が、小型の配送車に積み替えられる。このときに、作業員は、携帯端末２の表示部２５に表示されたガスボンベ状態情報入力インタフェース（自身の作業員ＩＤおよびパスワードを入力することによる認証処理を経て）上で、状態情報入力プルダウンリスト５０１の状態を選択し（例えば、「０４：積み替え」）、経由地入力プルダウンリスト５０２の経由地を選択する（例えば、「１１：ａデポステーション」）。また、カメラ２６を使用して、積み替えることになるガスボンベ４に付された二次元バーコード４ｂを撮影する。
【００７４】
携帯端末２の制御部２２は、選択された状態および経由地、ならびに撮影した二次元コードに符号化されたガスボンベＩＤを取得する（ステップＳ４１１）。
【００７５】
次に、制御部２２は、状態、経由地、およびガスボンベＩＤに、認証処理で使用した作業員ＩＤを含めたガスボンベ積み替え状態情報電文を生成する。生成したガスボンベ積み替え状態情報電文は、通信部１１によって、ガスボンベ管理サーバ１に送信される（ステップＳ４１２）。
【００７６】
ガスボンベ管理サーバ１の通信部１１が、ステップＳ４１２で送信されたガスボンベ積み替え状態情報電文を受信すると、制御部１２は、受信したガスボンベ積み替え状態情報電文に基づいて、ガスボンベ管理データテーブル３００の対象のデータレコードを更新する（ステップＳ４１３）。具体的には、ガスボンベ積み替え状態情報電文に含まれるガスボンベＩＤ、作業員ＩＤ、状態、および経由地の値が、対象のデータレコードの対応するデータ項目に設定される。このとき、ａデポステーションにおいて、対象のガスボンベ４を配送する作業員が変更された場合、変更後の作業員ＩＤでデータ項目「作業員ＩＤ」が更新されることになる。なお、この段階でも、ガスボンベ４が消費者宅に設置されている状態ではないので、データ項目「消費者ＩＤ」の値は設定されず、ガスボンベ４と消費者とは関連付けられない。
【００７７】
＜ガスボンベ出荷＞
ガスボンベ４が小型配送車に積み替えられると、ガスボンベ４が積まれた小型車がａデポステーションを出る際に、出口に設置されたセンサゲート３を通過することになる（ガスボンベ４がａデポステーションから出荷される）。このときに、ガスボンベ４がａデポステーションを出荷するときのガスボンベ管理データテーブル３００のデータレコードが更新される処理が実行されるが、この処理は、ステップＳ４０５乃至Ｓ４０７と同様であり、処理の詳細な説明は省略する（ガスボンベ管理データテーブル３００の対象のデータレコードのデータ項目「経由地」が「１１：ａデポステーション」、データ項目「状態」が「０２：出庫」に更新される）。
【００７８】
＜ガスボンベ設置＞
ガスボンベ４がａデポステーションから出荷されると、ガスボンベ４は、各消費者宅に設置されることになる。作業員は、ガスボンベ４を消費者宅に設置すると、携帯端末２の表示部２５に表示されたガスボンベ状態情報入力インタフェース（自身の作業員ＩＤおよびパスワードを入力することによる認証処理を経て）上で、状態情報入力プルダウンリスト５０１の状態を選択し（例えば、「０５：設置」）、経由地入力プルダウンリスト５０２の経由地を選択する（例えば、「２１：消費者宅」）。また、カメラ２６を使用して、積み替えるガスボンベ４に付された二次元バーコード４ｂを撮影する。さらに、消費者ＩＤ読み取りボタン５０４を押下して、カメラ２６を使用して、消費者宅に設置されたガス設備機器に付された二次元バーコードを撮影する。これによって、制御部２２は、選択された状態および経由地、ならびに撮影した二次元コードに符号化されたガスボンベＩＤおよび消費者ＩＤを取得する（ステップＳ４１４）。
【００７９】
次に、制御部２２は、状態、経由地、ガスボンベＩＤ、および消費者ＩＤに、認証処理で使用した作業員ＩＤを含めたガスボンベ設置状態情報電文を生成する。生成したガスボンベ設置状態情報電文は、通信部１１によって、ガスボンベ管理サーバ１に送信される（ステップＳ４１５）。
【００８０】
ガスボンベ管理サーバ１の通信部１１が、ステップＳ４１５で送信されたガスボンベ設置状態情報電文を受信すると、制御部１２は、受信したガスボンベ設置状態情報電文に基づいて、ガスボンベ管理データテーブル３００の対象のデータレコードを更新する（ステップＳ４１６）。具体的には、ガスボンベ設置状態情報電文に含まれるガスボンベＩＤ、作業員ＩＤ、消費者ＩＤ、状態、および経由地の値が、対象のデータレコードの対応するデータ項目に設定される。この段階において、ガスボンベ４が消費者宅に設置されたことになるので、ガスボンベ４が設置された消費者に対応する消費者ＩＤが、データ項目「消費者ＩＤ」の値が設定され、ガスボンベ４と消費者とが関連付けられる。
【００８１】
以上説明したように、ガスボンベ４の各々が、充填所において充填され、各経由地に／から入庫／出荷され、消費者宅に設置されるそれぞれのタイミングで、その状態が管理される。また、各ガスボンベ４が経由した最新の経由地が作業員ＩＤと関連付けて管理されることになる。このような構成によって、例えば、ガスボンベ４が紛失した場合（例えば、Ａ充填所から出荷され、ａデポステーションに入庫される間に）、そのガスボンベ４に対応するガスボンベ管理データテーブル３００のデータレコードは、状態が「０２：出庫」、経由地が「０１：Ａ充填所」のままである。よって、同一の経路で他のガスボンベがａデポステーションに入庫されたことから、紛失したガスボンベ４が、Ａ充填所から出荷されてから、ａデポステーションに入庫される間に紛失したことを特定することができる。
【００８２】
また、ガスボンベ４の各々にＩＣタグ４ａを取り付けるのみで、上述した実施形態を実現することができ、引用文献１に係る発明と比較して、簡易かつ容易に本発明を実施することができる。
【００８３】
さらに、近距離無線通信を通じてＩＣタグ４ａを読み取り、および二次元バーコード４ｂをカメラ２６で撮影することによって、ガスボンベＩＤを読み取っていつので、ＧＰＳ上方、および震度センサからの出力情報などを使用する引用文献１に係る発明と比較して、より高い精度でガスボンベ４の所在を把握することができる。
【００８４】
加えて、ガスボンベ４の状態変更のときのみ、ガスボンベＩＤを読み取ってガスボンベ管理サーバ１と、携帯端末２およびセンサゲート３との間で通信が行われるので、引用文献１に係る発明と比較して、不要な通信が発生せず、効率よくガスボンベ４の所在を管理することができる。
【００８５】
なお、本実施形態では、Ａ充填所においてガスボンベ４の充填・出庫、ａデポステーションにおいてガスボンベ４の入庫・積み替え・出庫、消費者宅へのガスボンベ４の設置の状態の例を説明したが、そのような状態変更および移動経路は例示的なものにすぎない。例えば、ガスボンベ４が空の容器の状態で充填所に納品されるとき、ガスボンベ４の耐圧検査を行うときなどに、その納品された経由地／耐圧検査を行った経由地に対応する経由地ＩＤ、および対象のガスボンベ４に対応するガスボンベＩＤで、ガスボンベ管理データテーブルの対象のデータレコードが追加または更新されてもよい。また、ガスボンベ配送において、複数のデポステーションを経由してもよく、また、充填所から消費者宅に直接ガスボンベ４が配送されてもよい。
【００８６】
以上のように、本実施形態に係るガスボンベ管理システムの説明を詳述したが、実施形態で説明した、ガスボンベ管理データテーブル３００などの具体的なデータ構造は例示的なものにすぎず、特許請求する事項から逸脱しない範囲で変更がされてもよい。
【００８７】
また、ガスボンベ状態情報入力インタフェース５００で示した入力項目なども例示的なものにすぎず、他のデータ項目を含んでもよい。さらに、図４で説明した処理の順序は例示的なものにすぎず、その順序が変更されてもよく、位置部の処理が追加／省略されてもよい。
【００８８】
加えて、ガスボンベ４に付された二次元バーコード４ｂ、およびガス設備機器に付された二次元バーコードは、一次元バーコードであってもよく、この場合、これらの一次元バーコードにガスボンベＩＤおよび消費者ＩＤが符号化される。
【符号の説明】
【００８９】
１    ガスボンベ管理サーバ
２    携帯端末
３    センサゲート
４    ガスボンベ
４ａ  ＩＣセンサ
６    トレーラ
３００    ガスボンベ管理データテーブル
５００    ガスボンベ状態情報入力インタフェース
５０１    状態情報入力プルダウンリスト
５０２    経由地入力プルダウンリスト
５０３    ガスボンベＩＤ読み取りボタン
５０４    消費者ＩＤ読み取りボタン
【図１】
2018063483.tif 000003
【図２】
2018063483.tif 000004
【図３】
2018063483.tif 000005
【図４】
2018063483.tif 000006
【図５】
2018063483.tif 000007
【図６】
2018063483.tif 000008
【図７】
2018063483.tif 000009
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
サーバコンピュータ、携帯端末、およびセンサゲートを備え、ガスボンベを消費者宅まで配送するまでの移動経路を管理するシステムであって、
前記携帯端末は、
前記ガスボンベを配送する作業員に対応する作業員ＩＤ、前記ガスボンベに対する第１の状態情報、および前記移動経路における経由地となる前記ガスボンベが位置する経由地に対応する第１の経由地情報の入力を受け付ける第１の入力インタフェースを表示する表示部と、
前記ガスボンベに付され、前記ガスボンベに対応するガスボンベＩＤが符号化された第１のバーコードから前記ガスボンベＩＤを取得し、前記取得したガスボンベＩＤ、前記受け付けた作業員ＩＤ、前記受け付けた第１の状態情報、および前記受け付けた第１の経由地情報を含む、第１のガスボンベ状態電文を生成する携帯端末制御部と、
前記生成した第１のガスボンベ状態電文を、前記サーバコンピュータに送信する携帯端末通信部と
を備え、
前記センサゲートは、
前記移動経路における経由地となる前記センサゲートが位置する経由地に対応する第２の経由地情報を記憶した記憶部と、
前記ガスボンベに付され、前記ガスボンベＩＤが記憶されたＩＣチップから前記ガスボンベＩＤを取得し、前記取得したガスボンベＩＤおよび前記記憶した第２の経由地情報を含む第２のガスボンベ状態電文を生成するセンサ制御部と、
前記生成した第２のガスボンベ状態電文を、前記サーバコンピュータに送信するセンサ通信部と
を備え、
前記サーバコンピュータは、
ガスボンベ管理データを記憶したデータ記憶部と、
前記第１のガスボンベ状態電文および前記第２のガスボンベ状態電文を受信するサーバ通信部と、
前記受信した第１のガスボンベ状態電文に基づいて、前記データ記憶部に記憶された前記ガスボンベ管理データを生成または更新し、
前記受信した第１のガスボンベ状態電文に含まれる前記第１の状態情報に基づいて、前記ガスボンベに対する第２の状態情報を判定し、
前記受信した第２のガスボンベ状態電文、および前記判定した第２の状態情報に基づいて、前記データ記憶部に記憶された前記ガスボンベ管理データを生成または更新するサーバ制御部と
を備え、
前記表示部は、前記作業員ＩＤ、前記ガスボンベに対する第３の状態情報、および前記移動経路における経由地となる前記ガスボンベが位置する経由地に対応する第３の経由地情報の入力を受け付ける第２の入力インタフェースを表示し、
前記携帯端末制御部は、
前記第１のバーコードから前記ガスボンベＩＤを取得し、ガス設備機器に付され、消費者ＩＤが符号化された第２のバーコードから前記消費者ＩＤを取得し、
前記取得したガスボンベＩＤ、前記取得した消費者ＩＤ、前記受け付けた作業員ＩＤ、前記受け付けた第３の状態情報、および前記受け付けた第３の経由地情報を含む、第３のガスボンベ状態電文を生成し、
前記携帯端末通信部は、前記生成した第３のガスボンベ状態電文を、前記サーバコンピュータに送信し、
前記サーバ通信部は、前記第３のガスボンベ状態電文を受信し、
前記サーバ制御部は、前記受信した第３のガスボンベ状態電文に基づいて、前記データ記憶部に記憶された前記ガスボンベ管理データを生成または更新する
ことを特徴とするシステム。
【請求項２】
前記センサ制御部は、前記ガスボンベが積まれた車両が通過する際に、前記ＩＣチップから前記ガスボンベＩＤを取得することを特徴とする請求項１に記載のシステム。
【請求項３】
前記センサ通信部は、前記ＩＣチップの読み取り面に対し、電波または磁界を放出する電波・磁界放出面を有し、
前記読み取り面および前記電波・磁界放出面は対向する
ことを特徴とする請求項１または２に記載のシステム。
【請求項４】
ガスボンベを消費者宅まで配送するまでの移動経路を管理する方法であって、
携帯端末によって、
前記ガスボンベを配送する作業員に対応する作業員ＩＤ、前記ガスボンベに対する第１の状態情報、および前記移動経路における経由地となる前記ガスボンベが位置する経由地に対応する第１の経由地情報の入力を受け付ける第１の入力インタフェースを表示するステップと、
前記ガスボンベに付され、前記ガスボンベに対応するガスボンベＩＤが符号化された第１のバーコードから前記ガスボンベＩＤを取得し、前記取得したガスボンベＩＤ、前記受け付けた作業員ＩＤ、前記受け付けた第１の状態情報、および前記受け付けた第１の経由地情報を含む、第１のガスボンベ状態電文を生成するステップと、
前記生成した第１のガスボンベ状態電文を、サーバコンピュータに送信するステップと、
センサゲートによって、
前記ガスボンベに付され、前記ガスボンベＩＤが記憶されたＩＣチップから前記ガスボンベＩＤを取得し、前記取得した第２のガスボンベＩＤ、および第２の経由地情報を含む第２のガスボンベ状態電文を生成するステップであって、前記第２の経由地情報は、前記移動経路における経由地となる前記センサゲートが位置する経由地に対応し、前記センサゲートの記憶部に記憶されている、ステップと、
前記生成した第２のガスボンベ状態電文を、前記サーバコンピュータに送信するステップと、
前記サーバコンピュータによって、
前記第１のガスボンベ状態電文および前記第２のガスボンベ状態電文を受信するステップと、
前記取得した第１のガスボンベ状態電文に基づいて、データ記憶部に記憶されたガスボンベ管理データを生成または更新するステップと、
前記取得した第１のガスボンベ状態電文に含まれる前記第１の状態情報に基づいて、前記ガスボンベに対する第２の状態情報を判定するステップと、
前記取得した第２のガスボンベ状態電文、および前記判定した第２の状態情報に基づいて、前記データ記憶部に記憶された前記ガスボンベ管理データを生成または更新するステップと、
前記携帯端末によって
前記作業員ＩＤ、前記ガスボンベに対する第３の状態情報、および前記移動経路における経由地となる前記ガスボンベが位置する経由地に対応する第３の経由地情報の入力を受け付ける第２の入力インタフェースを表示するステップと、
前記第１のバーコードから前記ガスボンベＩＤを取得し、ガス設備機器に付され、消費者ＩＤが符号化された第２のバーコードから前記消費者ＩＤを取得するステップと、
前記取得したガスボンベＩＤ、前記取得した消費者ＩＤ、前記受け付けた作業員ＩＤ、前記受け付けた第３の状態情報、および前記受け付けた第３の経由地情報を含む、第３のガスボンベ状態電文を生成するステップと、
前記生成した第３のガスボンベ状態電文を、前記サーバコンピュータに送信するステップと、
前記サーバコンピュータによって、
前記第３のガスボンベ状態電文を受信するステップと、
前記受信した第３のガスボンベ状態電文に基づいて、前記データ記憶部に記憶された前記ガスボンベ管理データを生成または更新するステップと
を備えたことを特徴とする方法。
【請求項５】
請求項４に記載の方法をコンピュータに実行させることを特徴とするプログラム。
【請求項６】
請求項５に記載のプログラムを記録したことを特徴とするコンピュータ可読記憶媒体。